(57)【要約】      （修正有）【課題】現場打ちコンクリートの使用量及びその打設や固化に要する作業負担や工期を低減し、より速やかに法面の保護構造を構築することができる法面を覆う法覆壁の下辺を支持する法留基礎構造及び当該構造を構築するのに用いる法留基礎ブロックを提供する。【解決手段】法留基礎ブロックは、角筒状の枠ブロック１ａと、当該枠ブロックの上面開口を閉鎖する蓋ブロック５ａとの対からなる。ブロックの上面は、法面側が法面の傾斜に合わせた傾斜面とされ、反法面側が水平面とされる。構築される法留基礎構造は、複数の枠ブロックが法面の下辺に沿って１列に配置され、それらの上面開口が蓋ブロックで閉鎖され、各枠ブロックと蓋ブロックとの間に形成される内部空間には、土砂、石、コンクリート塊、現場打ちコンクリートなどの無機質の充填材が充填される。【選択図】図３
0003186990.tif 000002
【実用新案登録請求の範囲】
【請求項１】
上下面が開放されかつ法面側の壁面の少なくとも外面上部が法面の傾斜と直交する方向の斜面に形成されている平面正方形ないし矩形角筒状の枠ブロックと当該枠ブロックの上面開口を閉鎖する蓋ブロックとの対からなる法留基礎ブロック。
【請求項２】
前記枠ブロックが、両側壁の高さが前後壁の高さより蓋ブロックの厚さ分だけ低い枠ブロックであり、蓋ブロックが、側辺が前記両側壁の上縁で支持される幅寸法を備えている、請求項１記載の法留基礎ブロック。
【請求項３】
前記蓋ブロックが、分割された複数枚の部分蓋ブロックで形成され、枠ブロックの内壁面に、当該枠ブロックの側壁上縁で支持されない蓋ブロックの角部を支持する突出部を備えている、請求項２記載の法留基礎ブロック。
【請求項４】
蓋ブロックが、枠ブロックの上面開口を通過可能な落とし込み蓋である、請求項１記載の法留基礎ブロック。
【請求項５】
枠ブロックの設置時に法面側となる後壁の外面上部が法面の傾斜に略直交する方向の傾斜面とされ、かつ当該後壁の内面上部が当該枠ブロックの反法面側となる前壁の内面上部と平行ないし上広がりの逆ハの字を形成する面である、請求項１、２、３又は４記載の法留基礎ブロック。
【請求項６】
法面に形成した法覆壁の下辺を支持する法留基礎構造であって、
請求項１、２、３、４又は５記載の法留基礎ブロックの複数対を備え、
当該法留基礎ブロックの枠ブロックは隣接するブロック相互を密着させて法面の下辺に沿って１列に配置され、それらの枠ブロックの上面開口が蓋ブロックで閉鎖されており、
各枠ブロックと蓋ブロックとの間の内部空間に無機質の充填材が充填されている、法留基礎構造。
【請求項７】
法面に形成した法覆壁の下辺を支持する法留基礎構造であって、
請求項２又は３記載の法留基礎ブロックの枠ブロックの複数個を備え、
当該枠ブロックは隣接するブロック相互を密着させて法面の下辺に沿って１列に配置され、それらの枠ブロックの上面開口が現場打ちコンクリートで閉鎖されており、各枠ブロックと現場打ちコンクリートの間の内部空間に無機質の充填材が充填されている、法留基礎構造。
【考案の詳細な説明】
【技術分野】
【０００１】
この考案は、法面の保護構造に関するもので、法面を覆っている法覆壁の下辺を支持する法留基礎構造及び当該構造を構築するのに用いる法留基礎ブロックに関するものである。
【背景技術】
【０００２】
法面の崩落や風雨による土砂の流出を防止すると共に、法面に雑草などが生い茂って景観を害するのを避けるために、法面に板状ないし版状のコンクリートブロック（法貼りブロック）を縦横に並べて敷設して法覆壁を構築する保護構造が採用されている。この保護構造において、法覆壁の下辺は、法面の下辺に沿って構築された法留基礎構造で保持される。現在、この法留基礎構造は、コンクリートブロック（法留基礎ブロック）を用いて構築されるようになっている。
【０００３】
法留基礎ブロックの一般的な形状は、上下面が開口した正方枠状ないし矩形枠状のブロックで、設置時に法面側に位置する後壁の外面上部に法覆壁の下辺に当接する傾斜面が形成されている。この傾斜面は、法面の角度に直交する方向の傾斜面とされている。法留基礎ブロックは、法覆壁の上面と法留基礎ブロックの上面との間に段差が生じないように設置される。
【０００４】
設置された法留基礎ブロックの中空部には、上面の開口から現場打ちコンクリートを流し込んで固化させることにより、法覆壁の下辺を支えるのに必要な重量を備えた法留基礎構造が構築される。
【考案の概要】
【考案が解決しようとする課題】
【０００５】
法留基礎ブロックは、法面側となる後壁の外面上部に法面の傾斜に合わせた傾斜面が形成されている以外は単純な正方形ないし矩形の角筒状をしたブロックであり、法面の下辺の位置を確保し、法面に敷設した法覆壁の下辺を支持して法覆壁が法面の傾斜に沿って下方にずれ動くのを防止しているものであり、その機能を確保するために、角筒状のブロックの内部空間に現場打ちコンクリートを打設して、大きな重量を備えた構造としている。
【０００６】
しかし、従来の法留基礎構造では、構築の際に多量の現場打ちコンクリートが必要であること、現場打ちコンクリートを打設するための装置を準備する必要があり、その設置やコンクリートの打設のために工期が長くなること、打設した現場打ちコンクリートの上面のコテならし整形が必要であるなどの問題があった。
【０００７】
そこでこの考案は、現場打ちコンクリートの使用量を低減すると共に、現場打ちコンクリートの打設や固化に要する作業負担の低減や工期を短縮して、より速やかに法面の保護構造を構築することができる技術手段を得ることを課題としている。
【課題を解決するための手段】
【０００８】
この考案の法留基礎ブロックは、上下面が開放された平面正方形ないし矩形の角筒状の枠ブロック１（１ａ、１ｂ、１ｃ）と、当該枠ブロック１の上面開口を閉鎖する蓋ブロック５（５ａ、５ｂ、５ｃ）との対からなり、枠ブロック１は、設置時に法面側となる後壁２（２ａ、２ｂ、２ｃ）の少なくとも外面上部２１が保護しようとする法面１１の傾斜と直交する方向の斜面に形成されているというものである。
【０００９】
一般的に、法留基礎構造の上面は法面側が法面１１の傾斜に合わせた傾斜面とされ、反法面側が水平面とされる。従って、蓋ブロック５の上面５１は設置時における法面側が当該法面の傾斜と平行な方向の傾斜面で反法面側が水平面となる逆への字形となり、枠ブロック１の側壁４（４ａ、４ｂ、４ｃ）の上縁４１も、その後壁２側が法面の傾斜と略平行な方向に傾斜した逆への字形とされる。
【００１０】
蓋ブロック５ａ、５ｂは、その両側辺５２が枠ブロック１ａ、１ｂの側壁上縁４１で支持されて枠ブロック１ａ、１ｂの上面開口を閉鎖する構造とすることができる。この構造においては、枠ブロック１ａ、１ｂの両側壁４ａ、４ｂの高さが前後壁２、３の高さより蓋ブロック５ａ、５ｂの厚さ分だけ低く形成され、蓋ブロック５ａ、５ｂは、両側辺５２が枠ブロックの両側壁の上縁４１で支持される幅寸法を備えたものとされる。
【００１１】
施工や運搬の便宜のため、蓋ブロック５を分割された複数枚の部分蓋ブロック５ｂで形成することができる。この場合には、枠ブロック１ｂの内壁面に、枠ブロックの側壁上縁４１で支持されない蓋ブロックの角部５４を支持する突出部２５、３５を設ける。
【００１２】
また他の構造として、蓋ブロック５ｃを枠ブロック１ｃの上面開口を通過可能な落とし蓋とすることもできる。
【００１３】
蓋ブロック５を枠ブロックの前後壁２、３と干渉させないで枠ブロック１に覆着可能にしかつ枠ブロック１と蓋ブロック５との間の隙間を最少にするためには、外面上部２１を法面の傾斜に略直交する方向の傾斜面とした枠ブロックの後壁２の内面上部２２を、枠ブロック１の反法面側となる前壁３の内面上部３２と平行な面、より好ましくは上広がりの抜き勾配を備えた逆ハの字を形成する面とするのが良い。
【００１４】
この考案の法留基礎ブロックを用いて構築される法留基礎構造は、法面に形成した法覆壁１２の下辺を支持する構造であって、枠ブロック１と蓋ブロック５との対からなる法留基礎ブロックの複数対を用いて構築される。複数の枠ブロック１は、隣接するブロック相互を密着させて法面の下辺に沿って１列に配置され、それらの枠ブロック１の上面開口が蓋ブロック５で閉鎖されている。各枠ブロック１と蓋ブロック５との間に形成される内部空間には、土砂、石、コンクリート塊、現場打ちコンクリートなどの無機質の充填材が充填される。
【００１５】
この考案の法留基礎ブロックの枠ブロック１ａ、１ｂのみを用いて、すなわち蓋ブロック５ａ、５ｂを用いないで、法留基礎構造を構築することもできる。すなわち、複数の枠ブロック１ａ、１ｂを隣接するブロック相互を密着させて法面の下辺に沿って１列に配置し、それらの枠ブロックの上面開口を蓋ブロック５ａ、５ｂに替えて現場打ちコンクリートで閉鎖する構造である。蓋ブロック５ａ、５ｂを用いる工法が工期の点で優れているけれども、場合によっては現場打ちコンクリートで枠ブロック１ａ、１ｂの上面開口を閉鎖する方が施工コストを低減できる場合もある。この考案の法留基礎ブロックは、工期やコストの要求に応じた使用が可能である。
【考案の効果】
【００１６】
この考案によれば、現場打ちコンクリートを使用しなくても、法面の保護構造を構築することができる。すなわち、従来は法面の下辺に沿って法留基礎ブロックを配置し、法留基礎ブロックに下辺を支持して法覆壁を構築し、更に法留基礎ブロックの中空部に現場打ちコンクリートを打設し、更に表面をコテ仕上げして固化させる必要があった。
【００１７】
これに対してこの考案によれば、法面の下辺に沿って配置した従来の法留基礎ブロックと同様な形状の枠ブロックの中空部に、現場近くで採取した土砂や石、コンクリート塊などを充填し、その後、枠ブロックの上面開口を蓋ブロックで閉鎖して枠ブロックと蓋ブロックの隙間をモルタルでコーキングすることによって保護構造を構築することが可能になる。
【００１８】
そのため、法面の保護構造を構築する際に大量の現場打ちコンクリートを打設するために必要な設備及びコテならし左官工が不要となり、現場打ちコンクリートが固化する時間を待たなくてよいので、工期の短縮が図れる。また、蓋ブロックで使用するコンクリートの量は、従来構造における現場打ちコンクリートの量より少ないので、全体としてのコンクリートの使用量を低減できる。そして、構築された法留基礎構造の上面は、蓋ブロックの上面で形成されるので、蓋ブロックの上面に法覆壁を形成している法貼りブロックの上面模様と適合する模様を形成することも容易であるため、より美観に優れた法面保護構造を得ることができるという効果がある。
【図面の簡単な説明】
【００１９】
【図１】第１実施例の法留基礎ブロックにおける枠ブロックの側面図
【図２】同平面図
【図３】第１実施例の法留基礎ブロックの断面側面図
【図４】第１実施例の法留基礎ブロックにおける蓋ブロックの斜視図
【図５】第１実施例の法留基礎ブロックを用いて構築した法面保護構造の斜視図
【図６】第２実施例の法留基礎ブロックにおける枠ブロックの側面図
【図７】同平面図
【図８】同断面側面図
【図９】同斜視図
【図１０】第２実施例の法留基礎ブロックにおける蓋ブロックの斜視図
【図１１】第２実施例の法留基礎ブロックを用いて構築した法面保護構造の斜視図
【図１２】第３実施例の法留基礎ブロックにおける枠ブロックの側面図
【図１３】同平面図
【図１４】同断面側面図
【図１５】第３実施例の法留基礎ブロックにおける蓋ブロックの斜視図
【図１６】第３実施例の法留基礎ブロックを用いて構築した法面保護構造の斜視図
【考案を実施するための形態】
【実施例１】
【００２０】
図１ないし５は、この考案の第１実施例を示した図で、法留基礎ブロックは、枠ブロック１ａと蓋ブロック５ａとの対からなる。この明細書では、ブロックを法面の下辺に沿って設置したときの法面側を後、その反対側を前としてブロックの形状を説明する。
【００２１】
枠ブロック１ａは、従来の法留基礎ブロックとほぼ同様な平面正方形ないし矩形の短い角筒状のコンクリートブロックで、後壁２ａの外面上部２１は、傾斜した法面と略直交する方向の傾斜面となっている。枠ブロック１ａの側壁４ａは、後壁２ａ及び前壁３ａの高さより蓋ブロック５ａの厚さ分だけ低く、蓋ブロック５ａは、その両側辺を枠ブロックの両側壁４ａの上縁４１に載せた状態で、枠ブロック１ａの上面の開口を塞ぐ形状となっている。
【００２２】
枠ブロック１ａ及び蓋ブロック５ａの後部は、法覆壁１２の上面となめらかに連続する形状としてある。すなわち、枠ブロックの後壁の外面上部２１を法面の傾斜と略直交する方向の傾斜面とすると共に、蓋ブロック５ａの上面５１の後方部を法面の傾斜と同方向の傾斜面とし、前方部は水平面としている。
【００２３】
図の蓋ブロック５ａは、全体がほぼ一定厚さのブロックとしており、下面の後方部も法面とほぼ平行な傾斜面となって、全体として側面視でへの字状である。そのため、蓋ブロック５ａを載せる枠ブロック１ａの側壁４ａは、後壁２ａに続く上縁４１の後方部が法面の傾斜と同方向の傾斜縁となり、前方部が水平になっている。
【００２４】
蓋ブロック５ａの側辺部には、上下方向の座ぐり孔付きの貫通孔４２が設けられており、枠ブロックの側壁上縁４１の対応する箇所には、インサートナット４３が埋設されている。図の例では、枠ブロックの側壁４ａに開口が設けられていないけれども、従来の法留基礎ブロックに設けられているような適宜形状の開口を設けることができる。
【００２５】
次に図５を参照して、この第１実施例の法留基礎ブロックを用いて構築された法留基礎構造について説明する。保護しようとする法面１１の下辺に沿って溝を掘り、適宜割石等で基礎を構築した後、隣接するブロックの側壁相互を密着させて枠ブロック１ａを溝内に１列に並べて配置する。次に溝に土砂を埋め戻して枠ブロック１ａを半没状態にし、法面１１を整形し、当該法面に法貼りブロック１３を縦横に敷設して下辺を枠ブロック１ａの後壁の外面上部２１に当接させた法覆壁１２を構築する。
【００２６】
法貼りブロック１３の敷設と並行して、又はその前後に、枠ブロック１ａの内部空間に土砂やコンクリート塊などの充填材を投入して突き固め、枠ブロックの側壁上縁４１にモルタルを塗り、蓋ブロック５ａの両側辺を枠ブロックの両側壁上縁４１に載せて、枠ブロック１ａの上面開口を蓋ブロック５ａで閉鎖する。そして、貫通孔４２にボルト４４を挿通してインサートナット４３に螺合して蓋ブロック５ａを枠ブロック１ａに定着する。
【００２７】
第１実施例の構造では（後述する第３実施例も同様）、枠ブロックの後壁２ａの内面上部２２も傾斜しているため、当該内面と載置した蓋ブロック５ａの後縁５３との間に隙間が生じるので、この隙間にモルタル５５を流し込み、更に蓋ブロック５ａと枠ブロック１ａの前壁内面との間にモルタルを塗布してコーキングし、法面の保護構造を完成する。
【実施例２】
【００２８】
図６ないし図１１は、この考案の第２実施例を示した図である。この第２実施例は、ブロックの運搬作業や設置作業の便宜のために蓋ブロックを２分割構造としたこと、２分割した部分蓋ブロック５ｂを支持するために、枠ブロック１ｂの後壁２ｂと前壁３ｂの内側中央に支持面２６、３６を形成したこと、枠ブロックの後壁２ｂの内面上部２２と蓋ブロック５ｂの後縁５３との間に隙間が生じないように枠ブロックの後壁の内面上部２２を前壁３の内面上部３２とほぼ平行（厳密には上部が少し開いた傾斜面となっている）としたこと、及び側壁４ｂの下辺部に半月状の開口４５を設けたこと、蓋ブロックを枠ブロックに固定するボルトを設けていないことが第１実施例と異なる点である。
【００２９】
枠ブロック１ｂは、第１実施例の枠ブロック１ａと同様に、短い角筒状のコンクリートブロックで、後壁２ｂの外面上部２１は、傾斜した法面と略直交する方向の傾斜面とされ、側壁４ｂは、後壁２ｂ及び前壁３ｂの高さより蓋ブロック５ｂの厚さ分だけ低い。
【００３０】
枠ブロック１ｂの後壁の内面上部２２は、前壁の内面上部３２と略平行な面とされ、その下方部が外壁の外面上部２１と略平行な下向き傾斜面２３となって、略垂直な内面下部２４と連続している。外壁の下向き傾斜面２３と前壁内面３３の幅方向中央部には、互いに相手側に向いて突出する上下方向の畝２５、３５が形成され、その畝の上面が、側壁の上縁４１の前後端と同じ高さとなって、２分割された蓋ブロックの内側の角部を支持する支持面２６、３６となっている。
【００３１】
枠ブロック１ｂの上面開口を閉鎖する蓋は、２枚に分割された部分蓋ブロック５ｂとされ、全体がほぼ一定厚さの側面視でへの字状であり、枠ブロックの側壁４ｂも、前後壁２ｂ、３ｂより高さの低い逆への字状の上縁４１を備えている。各部分蓋ブロック５ｂは、その一側辺が枠ブロックの側壁の上縁４１に載置され、他辺の両角部５４、５４が支持面２６、３６で支持された状態で、枠ブロック１ｂの上面の開口を塞ぐ形状となっている。
【００３２】
法留基礎構造は、第１実施例のブロックと同様にして構築する。すなわち、保護しようとする法面１１の下辺に沿って枠ブロック１ｂを半没状態にして１列に配置し、下辺を枠ブロック１ｂの後壁の外面上部２１に当接させた法覆壁１２を構築する。枠ブロック１ｂの内部空間には、土砂やコンクリート塊などの充填材を充填し、枠ブロックの側壁の上縁４１、後壁の内面上部２２及び前壁の内面上部３２にモルタルを塗布して部分蓋ブロック５ｂを枠ブロック１ｂ上に載置する。枠ブロック１ｂと蓋ブロック５ｂの継ぎ目は、塗布したモルタルによってコーキングされる。
【００３３】
上述した第１実施例及び第２実施例の枠ブロック１ａ、１ｂは、蓋ブロックの代わりに現場打ちコンクリートでその上面開口を閉鎖することにより、単独で従来の法留基礎ブロックと同様な工法で法留基礎構造を構築できる。従ってこの考案の法留基礎ブロックは、現場の状況に合わせた工法で法留基礎構造を構築できる長所がある。
【実施例３】
【００３４】
図１１ないし１６は、この考案の第３実施例を示した図で、蓋ブロック５ｃを枠ブロック１ｃの上面開口を通過可能な落とし蓋とした構造で、枠ブロック１ｃの側壁４ｃの上縁４１が前後壁２ｃ、３ｃとの間に段差を有しない高さとなっている点が第１実施例と異なる。すなわち、枠ブロックの側壁４ｃの上縁４１は、後壁２ｃ側が法面の傾斜と略平行な傾斜縁となってその後端が後壁２ｃの上縁に段差なく繋がり、前壁３ｃ側が水平縁となってその前端が前壁３ｃの上縁に段差無く繋がる逆への字形である。この逆への字形は、蓋ブロック５ｃの上面の側面視における逆への字形と同形である。
【００３５】
この第３実施例の枠ブロック１ｃ及び蓋ブロック５ｃの構造や作用並びに第３実施例のブロックで構築される法留基礎構造は、蓋ブロック５ｃを落とし蓋としたことに付随する相違点以外の相違は無いので、第１実施例における図１〜図５と同様な図１１〜図１６に第１実施例に付した符号と同じ符号を付してその説明を省略する。
【符号の説明】
【００３６】
１（１ａ、１ｂ、１ｃ）  枠ブロック
２（２ａ、２ｂ、２ｃ）  枠ブロックの後壁
３（３ａ、３ｂ、３ｃ）  枠ブロックの前壁
４（４ａ、４ｂ、４ｃ）  枠ブロックの側壁
５（５ａ、５ｂ、５ｃ）  蓋ブロック
１１  法面
１２  法覆壁
２１  枠ブロックの後壁の外面上部
２２  枠ブロックの後壁の内面上部
２５、３５  突出部
３２  枠ブロックの前壁の内面上部
４１  枠ブロックの側壁上縁
５１  蓋ブロックの上面
５２  蓋ブロックの側辺
５４  蓋ブロックの角部
【図１】
0003186990.tif 000003
【図２】
0003186990.tif 000004
【図３】
0003186990.tif 000005
【図４】
0003186990.tif 000006
【図５】
0003186990.tif 000007
【図６】
0003186990.tif 000008
【図７】
0003186990.tif 000009
【図８】
0003186990.tif 000010
【図９】
0003186990.tif 000011
【図１０】
0003186990.tif 000012
【図１１】
0003186990.tif 000013
【図１２】
0003186990.tif 000014
【図１３】
0003186990.tif 000015
【図１４】
0003186990.tif 000016
【図１５】
0003186990.tif 000017
【図１６】
0003186990.tif 000018